(57)【要約】【課題】中間調領域の風紋ムラを目立たなくすることにより画像劣化を防止する。【解決手段】印刷ジョブに含まれる画像データの解像度が高解像度であり、かつ、画像データ内の各画素の濃度が同一で所定範囲である場合に、単位時間当たりにおけるノズルのインク吐出量に基づいて算出される、ノズルから吐出されたインクを印刷用紙の搬送気流に抗して直進させる自己気流の発生度合いを示す自己気流度に基づいて、画像データの解像度を低解像度に変換し、画像データ内の各画素の濃度を増加するようにインクを各ノズルから吐出させる。【選択図】図７
2016013645.tif 000002
【特許請求の範囲】
【請求項１】
搬送経路の上方に配置したインクジェットヘッドに複数のノズル列を前記搬送経路上に搬送される印刷用紙の搬送方向に位置をずらして配置し、印刷ジョブに基づいて、前記各ノズル列の各ノズルからそれぞれインクを吐出して印刷用紙に印刷する際に、前記インクジェットヘッドは第１の解像度または、前記第１の解像度より高い第２の解像度で印刷可能なインクジェット印刷装置であって、
前記印刷ジョブに含まれる画像データの解像度が前記第２の解像度であり、かつ、前記画像データ内の各画素の濃度が同一で所定範囲である場合に、単位時間当たりにおける前記ノズルのインク吐出量に基づいて算出される、前記ノズルから吐出されたインクを印刷用紙の搬送気流に抗して直進させる自己気流の発生度合いを示す自己気流度に基づいて、前記画像データの解像度を前記第１の解像度に変換し、前記画像データ内の各画素の濃度を増加するようにインクを各ノズルから吐出させる制御手段を備えるインクジェット印刷装置。
【請求項２】
前記画像データが、前記自己気流度に基づいて自己気流が発生し、かつ、前記印刷ジョブに含まれる画像データの解像度が前記第２の解像度であり、かつ、前記画像データ内の各画素の濃度が同一で所定範囲である制御対象画像データであるか否かを判定する判定手段と、
前記インクジェットヘッドと、前記搬送経路との間の距離を可変可能な距離可変手段とを備え、
前記制御手段は、前記インクジェットヘッドと、前記搬送経路との間の距離が所定値以上の場合に、前記判定手段による判定処理を行うことを特徴とする請求項１に記載のインクジェット印刷装置。
【請求項３】
印刷用紙の種類に応じて前記制御対象画像データであるか否かを判定するための判定テーブルを記憶する記憶手段を備え、
前記判定テーブルを参照して、前記印刷ジョブに基づいて印刷される印刷用紙の種類に基づいて、前記判定手段による判定処理を行うことを特徴とする請求項２に記載のインクジェット印刷装置。
【発明の詳細な説明】
【技術分野】
【０００１】
本発明は、インクジェット印刷装置に関する。
【背景技術】
【０００２】
ライン型のインクジェット印刷装置は、搬送ベルトにより搬送される用紙に対して、用紙の搬送方向と直交する方向に複数配置されたインクジェットヘッドによりインクの液滴を吐出することにより印刷を行う。
【０００３】
このようなライン型のインクジェット印刷装置では、様々な要因により、インクジェットヘッドから吐出された液滴に着弾位置ズレが生じ、これにより画像劣化が生じる場合がある。
【０００４】
特許文献１には、複数の液滴吐出口が形成された液体吐出ヘッドの吐出面と記録面との間の距離を把握し、当該距離に基づいて記録面上での着弾位置ずれ量を特定し、この特定した着弾位置ずれ量に応じて画像データを補正して中間階調処理を行う画像記録装置に関する技術が提案されている。
【先行技術文献】
【特許文献】
【０００５】
【特許文献１】特開２００７−２１８０７号公報
【発明の概要】
【発明が解決しようとする課題】
【０００６】
しかしながら、特許文献１に記載の画像記録装置では、後述する自己気流の影響を考慮していなかった。このため、自己気流が影響して画像劣化が生じるような場合に対処できなかった。具体的な説明を以下に行う。
【０００７】
ライン型のインクジェット印刷装置では、ヘッドの直下を搬送された用紙により気流が発生する。また、搬送方向上流側に設けられたノズルからインクが連続吐出されると、そのインク液滴は自己気流を伴い吐出されるため、搬送による気流を遮る壁のように作用する（以下、この形成された擬似的な壁をインク壁という）。
【０００８】
そして、搬送された用紙により発生する気流がインク壁にぶつかり、複雑に気流が乱れることがある。この乱気流により、吐出し着弾すべき位置からずれてしまうことがあり、これにより、いわゆる風紋ムラと呼ばれる濃度ムラが生じる場合があった。
【０００９】
この風紋ムラは、濃度が濃くもなく薄くもない中間調である中間調領域において発生した場合に最も目立つことが分かっている。濃度が濃い高濃度領域に風紋ムラが発生する場合、隣り合う画素のインクがにじみ風紋ムラが生じた箇所を埋めるため目立ちにくくなる。一方、濃度が低い低濃度領域に風紋ムラが発生する場合、元々の画像に無色の画素が多いので、目立ちにくくなる。結果的に、中間調領域において風紋ムラが発生した場合に最も目立つことになり、この中間調領域において風紋ムラを目立たなくすることが切望されていた。
【００１０】
本発明は、上記課題に鑑みてなされたものであり、自己気流の影響により発生する中間調領域の風紋ムラを目立たなくするインクジェット印刷装置を提供することを目的とする。
【課題を解決するための手段】
【００１１】
上記目的を達成するため、本発明に係るインクジェット印刷装置の第１の特徴は、搬送経路の上方に配置したインクジェットヘッドに複数のノズル列を前記搬送経路上に搬送される印刷用紙の搬送方向に位置をずらして配置し、印刷ジョブに基づいて、前記各ノズル列の各ノズルからそれぞれインクを吐出して印刷用紙に印刷する際に、前記インクジェットヘッドは第１の解像度または、前記第１の解像度より高い第２の解像度で印刷可能なインクジェット印刷装置であって、前記印刷ジョブに含まれる画像データの解像度が前記第２の解像度であり、かつ、前記画像データ内の各画素の濃度が同一で所定範囲である場合に、単位時間当たりにおける前記ノズルのインク吐出量に基づいて算出される、前記ノズルから吐出されたインクを印刷用紙の搬送気流に抗して直進させる自己気流の発生度合いを示す自己気流度に基づいて、前記画像データの解像度を前記第１の解像度に変換し、前記画像データ内の各画素の濃度を増加するようにインクを各ノズルから吐出させる制御手段を備えることにある。
【００１２】
上記目的を達成するため、本発明に係るインクジェット印刷装置の第２の特徴は、前記画像データが、前記自己気流度に基づいて自己気流が発生し、かつ、前記印刷ジョブに含まれる画像データの解像度が前記第２の解像度であり、かつ、前記画像データ内の各画素の濃度が同一で所定範囲である制御対象画像データであるか否かを判定する判定手段と、
前記インクジェットヘッドと、前記搬送経路との間の距離を可変可能な距離可変手段とを備え、前記制御手段は、前記インクジェットヘッドと、前記搬送経路との間の距離が所定値以上の場合に、前記判定手段による判定処理を行うことにある。
【００１３】
上記目的を達成するため、本発明に係るインクジェット印刷装置の第３の特徴は、印刷用紙の種類に応じて前記制御対象画像データであるか否かを判定するための判定テーブルを記憶する記憶手段を備え、前記判定テーブルを参照して、前記印刷ジョブに基づいて印刷される印刷用紙の種類に基づいて、前記判定手段による判定処理を行うことにある。
【発明の効果】
【００１４】
本発明に係るインクジェット印刷装置の第１の特徴によれば、印刷ジョブに含まれる画像データの解像度が第２の解像度であり、かつ、画像データ内の各画素の濃度が同一で所定範囲である場合に、単位時間当たりにおけるノズルのインク吐出量に基づいて算出される、ノズルから吐出されたインクを印刷用紙の搬送気流に抗して直進させる自己気流の発生度合いを示す自己気流度に基づいて、画像データの解像度を第１の解像度に変換し、画像データ内の各画素の濃度を増加するようにインクを各ノズルから吐出させる。具体的には、自己気流が発生し、この自己気流を印刷用紙の搬送により生じる搬送気流が迂回して生じる回り込み気流により、各画素の濃度が同一で所定範囲である中間調の画像データに対応する印刷領域に風紋ムラが目立ちやすくなる。このため、画像データの解像度を第１の解像度に変換して、吐出対象の画素を少なくして自己気流度を下げ、かつ、画像データ内の各画素の濃度を増加するようにインクを各ノズルから吐出させることで、回り込み気流による着弾ズレを低減させる。この結果、インクジェットヘッドから吐出されたインク液滴が重くなり、用紙の搬送により発生する搬送気流の影響を受け難くなるので、着弾位置ズレ量が小さくなり、その分風紋ムラが目立ちにくくなる。
【００１５】
本発明に係るインクジェット印刷装置の第２の特徴によれば、インクジェットヘッドと、搬送経路との間の距離が所定値以上の場合に、画像データが、自己気流度に基づいて自己気流が発生し、かつ、印刷ジョブに含まれる画像データの解像度が第２の解像度であり、かつ、画像データ内の各画素の濃度が同一で所定範囲である制御対象画像データであるか否かを判定する。インクジェットヘッドと用紙を搬送する搬送経路との間隔は、広いほど風紋ムラが発生し易くなるので、この間隔が広い場合のみ判定処理を実行し、判定条件を満たす場合に第１の解像度で印刷することにより、極力解像度を下げることなく、風紋ムラに対して高い効果を得ることができる。
【００１６】
本発明に係るインクジェット印刷装置の第２の特徴によれば、用紙の種類に応じて制御対象画像データであるか否かを判定するための判定テーブルを記憶しておき、判定テーブルを参照して、印刷ジョブに基づいて印刷される印刷用紙の種類に基づいて、判定手段による判定処理を行う。用紙の種類によって、インク液滴が用紙に着弾した際のにじみ方が異なるので、例えば、用紙の種類ごとに中間調濃度と判定する１画素当たりのドロップ数を、判定テーブルに予め定めておき、用紙の種類に応じて中間調濃度と判定することで、用紙に応じて風紋ムラが目立ち易い場合に、低解像度で印刷することができる。
【図面の簡単な説明】
【００１７】
【図１】本発明の実施例１であるインクジェット印刷装置の構成を示す構成図である。
【図２】本発明の実施例１であるインクジェット印刷装置が備えるインクジェットユニットの平面図である。
【図３】本発明の実施例１であるインクジェット印刷装置が備えるインクジェットヘッドのノズルから吐出された液滴と発生した気流を模式的に示した図である。（ａ）は、用紙Ｐの搬送方向（副走査方向）上流側から見た図であり、（ｂ）は、斜視図である。
【図４】風紋ムラの状態を説明した説明図である。（ａ）は、高濃度領域の風紋ムラを示し、（ｂ）は、中間調領域での風紋ムラを示し、（ｃ）は、低濃度領域での風紋ムラを示している。
【図５】本発明の実施例１であるインクジェット印刷装置の機能構成を示した図である。
【図６】本発明の実施例１であるインクジェット印刷装置が備える制御部のＲＯＭに記憶された条件判定テーブルの一例を示した図である。（ａ）は、マット紙に対応する条件判定テーブルの一例を示した図であり、（ｂ）は、普通紙に対応する条件判定テーブルの一例を示した図である。
【図７】本発明の実施例１であるインクジェット印刷装置の処理手順を示したフローチャートである。
【図８】本発明の実施例１であるインクジェット印刷装置における図８のフローチャートのステップＳ１４０の解像度および吐出量の変換処理を模式的に示した説明図である。（ａ）は、受信した印刷ジョブに含まれる制御対象画像データのドロップデータを示しており、（ｂ）は、このドロップデータに基づいて印刷される際、風紋ムラが発生した場合におけるインク液滴の着弾位置を示した図であり、（ｃ）は、副走査方向の解像度および吐出量を変換したドロップデータに基づいて印刷される際に、インク液滴が着弾する着弾位置を示した図であり、（ｄ）は、（ｃ）に示した着弾位置でインク液滴が着弾された場合において、インクが用紙ににじんだ状態を示した図である。
【図９】本発明の実施例１であるインクジェット印刷装置における図８のフローチャートのステップＳ１４０の解像度および吐出量の変換処理を模式的に示した説明図である。（ａ）は、受信した印刷ジョブに含まれる制御対象画像データのドロップデータを示しており、（ｂ）は、このドロップデータに基づいて印刷される際、風紋ムラが発生した場合におけるインク液滴の着弾位置を示した図であり、（ｃ）は、主走査方向および副走査方向の解像度および吐出量を変換したドロップデータに基づいて印刷される際に、インク液滴が着弾する着弾位置を示した図であり、（ｄ）は、（ｃ）に示した着弾位置でインク液滴が着弾された場合において、インクが用紙ににじんだ状態を示した図である。
【発明を実施するための形態】
【００１８】
以下、本発明に係るインクジェット印刷装置の実施例１について図面を参照して説明する。なお、以下に説明する本発明に係る実施例１のインクジェット印刷装置１は、あくまで本発明に係るインクジェット印刷装置の一例であり、本発明の技術的思想の範囲内において適宜変更可能である。
【００１９】
＜インクジェット印刷装置の全体構成＞
本発明の実施例１では、用紙の搬送方向と直交する方向（主走査方向）に配列されたインクジェットヘッドを有し、搬送経路上で搬送された用紙に対して、画像データに基づいてインクジェットヘッドのノズルからインクを吐出して印刷するライン型のインクジェット印刷装置を例に挙げて説明する。
【００２０】
図１は、本発明の実施例１であるインクジェット印刷装置１の構成を示す構成図である。
【００２１】
図１に示すように、インクジェット印刷装置１は、サイド給紙部１０と、内部給紙部２０と、印刷部３０と、排紙部４０と、反転部５０とを備えている。
【００２２】
サイド給紙部１０は、用紙Ｐが積層される給紙台１１と、この給紙台１１から最上位置の用紙Ｐのみを給紙搬送路ＦＲ上へ搬送させる１次給紙部１２と、この１次給紙部１２によって搬送された用紙Ｐを循環搬送路ＣＲ上へ搬送する２次給紙部１４とを備えている。
【００２３】
内部給紙部２０は、用紙Ｐが積層される給紙台２１ａと、この給紙台２１ａから最上位置の用紙Ｐのみを給紙搬送路ＦＲ上へ搬送させる１次給紙部２２ａと、用紙Ｐが積層される給紙台２１ｂと、この給紙台２１ｂから最上位置の用紙Ｐのみを給紙搬送路ＦＲ上へ搬送させる１次給紙部２２ｂと、用紙Ｐが積層される給紙台２１ｃと、この給紙台２１ｃから最上位置の用紙Ｐのみを給紙搬送路ＦＲ上へ搬送させる１次給紙部２２ｃと、用紙Ｐが積層される給紙台２１ｄと、この給紙台２１ｄから最上位置の用紙Ｐのみを給紙搬送路ＦＲ上へ搬送させる１次給紙部２２ｄとを備えている。
【００２４】
このように、２次給紙部１４には、サイド給紙部１０及び内部給紙部２０から用紙Ｐが搬送され、さらに、後述する反転部５０からも用紙Ｐが搬送される。
【００２５】
そのため、搬送方向における２次給紙部１４の手前には、給紙された用紙Ｐの搬送経路と、一方の面が印刷された用紙が循環して搬送されてくる経路とが合流する合流地点が存在する。この合流地点を基準に、給紙機構側の経路を給紙搬送路ＦＲと称し、それ以外の経路を循環搬送路ＣＲと称している。
【００２６】
印刷部３０は、複数の印字ヘッドが組み込まれたインクジェットユニット３１と、インクジェットユニット３１の対向面に設けられた環状の搬送ベルト１３３とを備えており、２次給紙部１４により給紙された用紙Ｐは、環状の搬送ベルト１３３内に、用紙の搬送路面の裏面に対応して設置された吸引ファン１３１によって搬送ベルト１３３上に吸引され、所定の搬送速度で搬送されながら、インクジェットユニット３１から吐出されたインクにより用紙Ｐに印刷される。
【００２７】
印刷部３０により印刷された用紙Ｐは、循環搬送路ＣＲ上に配置された搬送ローラ等によって筐体内を循環搬送路ＣＲ上を搬送される。循環搬送路ＣＲ上には、循環搬送路ＣＲ上を搬送された用紙Ｐを排紙部４０へ誘導するか、又は循環搬送路ＣＲ上を再循環させるかを切り替える切り替え機構４３が備えられている。
【００２８】
切り替え機構４３は、用紙Ｐを、後述する排紙部４０又は反転部５０のいずれか１方へ誘導するために、切り替える。
【００２９】
排紙部４０は、インクジェット印刷装置１の筐体から突出したトレイ形状をした排紙台４１と、排紙台４１に用紙Ｐを誘導する一対の排紙ローラ４２とを有している。そして、切り替え機構４３により排紙部４０に誘導された用紙Ｐは、排紙ローラ４２により排紙台４１に搬送され、排紙台４１に印刷面を下にして積載される。
【００３０】
反転部５０は、用紙Ｐを反転させる反転台５１と、循環搬送路ＣＲから反転台５１へ用紙Ｐを搬送し、又は反転台５１から循環搬送路ＣＲ上へ用紙Ｐを搬送する反転ローラ５２とを備えている。
【００３１】
切り替え機構４３により反転部５０に誘導された用紙Ｐは、反転ローラ５２により循環搬送路ＣＲから反転台５１に搬送され、所定時間経過後、反転台５１から循環搬送路ＣＲへ搬送されることにより、循環搬送路ＣＲに対して表裏が反転する。そして、表裏が反転された用紙Ｐは、循環搬送路ＣＲ上に設けられた搬送ローラ５３等の複数のローラにより循環搬送路ＣＲ上を印刷部３０へ向かって搬送される。
【００３２】
また、インクジェット印刷装置１の全体を制御する制御部８０を有している。この制御部８０は、サイド給紙部１０と、内部給紙部２０と、印刷部３０と、排紙部４０と、反転部５０とを制御することにより、画像データに基づいて印刷処理を実行する。
【００３３】
図２は、本発明の実施例１であるインクジェット印刷装置１が備えるインクジェットユニット３１の平面図である。
【００３４】
インクジェットユニット３１は、主走査方向、即ち用紙Ｐの搬送方向と直交する方向に２列のノズルが配列されたライン型の複数のインクジェットヘッド１１０，１１２，１１４を有する。
【００３５】
そして、インクジェットユニット３１の下部を用紙Ｐが副走査方向（用紙Ｐの搬送方向）に搬送されながら、複数のインクジェットヘッド１１０，１１２，１１４からインクが吐出されることにより印刷される。
【００３６】
インクジェットユニット３１は、ブラック（Ｋ）のインクを貯留したインクジェットヘッド１１０ａ〜１１０ｆと、シアン（Ｃ）及びマゼンダ（Ｍ）のインクを貯留したインクジェットヘッド１１２ａ〜１１２ｆと、イエロー（Ｙ）のインクを貯留したインクジェットヘッド１１４ａ〜１１４ｆとを備えている。なお、インクジェットヘッド１１０ａ〜１１０ｆと、インクジェットヘッド１１２ａ〜１１２ｆと、インクジェットヘッド１１４ａ〜１１４ｆとは、吐出されるインク色が異なるが、同一の物理構造を有している。
【００３７】
インクジェットヘッド１１０ａ〜１１０ｆは、主走査方向に対して平行になるように、３００ｄｐｉの解像度を実現するピッチ間隔でノズルが配列された上流側のノズル列１２１と、３００ｄｐｉの解像度を実現するピッチ間隔でノズルが配列された下流側のノズル列１２３とが配置されている。２列のノズル列１２１，１２３は、主走査方向のノズルの位置がそれぞれずらして設けられており、２列のノズル列１２１，１２３から同色（ここでは、ブラック）のインクが吐出されることにより、６００ｄｐｉの解像度を実現する。
【００３８】
また、インクジェットヘッド１１０ａ〜１１０ｆには、ブラック（Ｋ）のインクを収容するインク室が設けられており、このインク室内にはピエゾ素子が配置されている。そして、供給された駆動信号に基づいて、ピエゾ素子にインクが吐出する駆動電圧が印加されることにより、インク室に連通するノズルからブラック（Ｋ）のインクを、ドロップ単位で吐出する。なお、図示しないが、インクジェットヘッド１１０ａ〜１１０ｆには、それぞれインクの温度を測定する温度計が備えられている。
【００３９】
このように、主走査方向に２列に配置されたノズル列１２１，１２３からブラック（Ｋ）のインクが吐出されることにより、６００（ｄｐｉ）の解像度で印字することができ、ノズル列１２１，１２３のいずれか一方からブラック（Ｋ）のインクが吐出されることにより、３００（ｄｐｉ）の解像度で印字することができる。すなわち、吐出するノズル列を２列とするか、または１列とするかにより、解像度を６００（ｄｐｉ）または３００（ｄｐｉ）に切り替えて印刷することができる。
【００４０】
一方、インクジェットヘッド１１２ａ〜１１２ｆは、主走査方向に対して平行になるように、３００ｄｐｉの解像度を実現するピッチ間隔でノズルが配列されシアン（Ｃ）のインクを吐出する上流側のノズル列１２４と、３００ｄｐｉの解像度を実現するピッチ間隔でノズルが配列されマゼンダ（Ｍ）のインクを吐出する下流側のノズル列１２５とが１列ずつ配置されている。
【００４１】
また、インクジェットヘッド１１２ａ〜１１２ｆには、それぞれシアン（Ｃ）のインクを収容するインク室と、マゼンダ（Ｍ）のインクを収容するインク室とが設けられており、このインク室内にはピエゾ素子が配置されている。そして、駆動信号に基づいてピエゾ素子にインクを吐出する駆動電圧が印加されることにより、シアン（Ｃ）、マゼンダ（Ｍ）それぞれのインク室に連通するノズルからシアン（Ｃ）、マゼンダ（Ｍ）それぞれのインクがドロップ単位で吐出される。なお、図示しないが、インクジェットヘッド１１２ａ〜１１２ｆには、それぞれインクの温度を測定する温度計が備えられている。
【００４２】
このように、主走査方向に２列に配置されたノズル列１２４，１２５のうち、上流側のノズル列１２４からシアン（Ｃ）のインクが吐出され、下流側のノズル列１２５からマゼンダ（Ｍ）のインクが吐出されることにより、シアン（Ｃ）、マゼンダ（Ｍ）がそれぞれ３００（ｄｐｉ）の解像度で印字される。
【００４３】
インクジェットヘッド１１４ａ〜１１４ｆは、３００ｄｐｉの解像度を実現するピッチ間隔でノズルが配列されたノズル列が、主走査方向に対して平行になるように２列に配列されており、上流側にはイエロー（Ｙ）のインクを吐出するノズル列１２７が配置され、下流側には、予備インクのノズル列１２８が配置されている。
【００４４】
また、インクジェットヘッド１１４ａ〜１１４ｆには、イエロー（Ｙ）のインクを収容するインク室と、予備インクを収容するインク室とが設けられており、このインク室内にはピエゾ素子が配置されている。そして、駆動信号に基づいてピエゾ素子にインクを吐出する駆動電圧が印加されることにより、イエロー（Ｙ）、予備インク色それぞれのインク室に連通するノズルからイエロー（Ｙ）、予備インク色それぞれのインクがドロップ単位で吐出される。
【００４５】
このように、主走査方向に２列に配置されたノズル列のうち、上流側のノズル列１２７からイエロー（Ｙ）のインクが吐出され、下流側のノズル列１２８から予備インクが吐出されることにより、イエロー（Ｙ）、予備インク色がそれぞれ３００（ｄｐｉ）の解像度で印字される。
【００４６】
なお、予備インクは、シアン（Ｃ）、マゼンダ（Ｍ）、イエロー（Ｙ）、ブラック（Ｋ）でも良いし、ライトシアン（ＬＣ）やライトマゼンダ（ＬＭ）であっても良い。
【００４７】
また、上述したように、インクジェットヘッド１１０ａ〜１１０ｆと、インクジェットヘッド１１２ａ〜１１２ｆと、インクジェットヘッド１１４ａ〜１１４ｆとは、吐出されるインク色が異なるが、同一の物理構造を有しているので、１つのインクジェットヘッドに同色のインクを収容した場合、主走査方向の解像度を６００（ｄｐｉ）または３００（ｄｐｉ）に切り替えて印刷することができ、１つのインクジェットヘッドに異なる色のインクを収容した場合、３００（ｄｐｉ）の解像度で、異なる２色のインクで印刷することができる。
【００４８】
＜気流の影響による着弾位置ズレの説明＞
図３は、本発明の実施例１であるインクジェット印刷装置１が備えるインクジェットヘッドのノズルから吐出された液滴と発生した気流を模式的に示した図である。（ａ）は、用紙Ｐの搬送方向（副走査方向）上流側から見た図であり、（ｂ）は、斜視図である。
【００４９】
図３（ａ），（ｂ）に示すように、インクジェットヘッド１１０ａの主走査方向中央部の３つの上流側のノズル列１２１からインク液滴Ｄが連続吐出されたとする。このとき、そのインク液滴Ｄは自己気流を伴い吐出されるため、搬送による気流を遮る壁のように作用し、擬似的なインク壁を形成する。
【００５０】
自己気流は主走査方向において連続する複数のノズルがインクをそれぞれ吐出していることより強い流れになる。また、自己気流は同じノズルが連続する複数のラインのドットに対してインクの吐出を繰り返す場合にも高くなる。即ち、単位時間当たりにおける、各ノズルのインク吐出量が高い領域が存在すると、その領域において、ノズルから吐出されたインクを印刷用紙の搬送気流に抗して直進させる自己気流の発生度合いが高くなる。
【００５１】
一方で、用紙Ｐが副走査方向に搬送されることにより、この搬送に伴って搬送気流Ｆ１〜Ｆ６が発生する。そのうち、主走査方向中央部を流れる搬送気流Ｆ３，Ｆ４については、インク液滴Ｄの連続吐出により形成されたインク壁（自己気流）にぶつかることになる。これにより、搬送気流Ｆ３，Ｆ４は、形成されたインク壁を回り込むような流れを形成し、さらに、回り込んだ搬送気流Ｆ３，Ｆ４が、搬送気流Ｆ２，Ｆ５に影響を及ぼしたり、回り込んだ搬送気流Ｆ３，Ｆ４同士がぶつかり合ったりして、複雑に気流が乱れることがある。この乱気流により、吐出し着弾すべき位置からずれてしまうことがあり、これにより、いわゆる風紋ムラと呼ばれる濃度ムラが生じる場合がある。
【００５２】
また、この風紋ムラは、高濃度でもなく低濃度でもない中間調である中間調領域において発生した場合に最も目立つことが分かっている。
【００５３】
図４は、風紋ムラの状態を説明した説明図である。（ａ）は、高濃度領域の風紋ムラを示し、（ｂ）は、中間調領域での風紋ムラを示し、（ｃ）は、低濃度領域での風紋ムラを示している。本図では、いずれもインクジェット印刷装置１が受信した受信ジョブに含まれる画像データは高解像度のデータであり、この画像データには、いわゆるベタ画像といわれるインクが一定間隔で連続して吐出される連続吐出領域が含まれているとする。
【００５４】
言い換えると、上記画像データには、自己気流が発生し、かつ、印刷ジョブに含まれる画像データの解像度が高解像度であり、かつ、画像データ内の各画素の濃度が同一で所定範囲である制御対象画像データが含まれることである。（ｂ）の場合には、上記所定範囲が中間調の濃度範囲となる。
【００５５】
図４（ａ）に示すように、ドロップデータに変換された画像データ２０１は、高濃度の連続吐出領域の画像データであり、この画像データ２０１に基づいて印刷された画像が印刷画像２１１である。このとき、画像データ２０１は、高濃度の連続吐出領域の画像データであるので、拡大画像データ２０１ａに示すように、高い密度で吐出する画素がｂ１の間隔で並ぶことになる。そして、この画像データに基づいて吐出されると、着弾位置２１１ａに示すように、インク液滴の着弾位置ずれが発生し、着弾する画素と画素との間にｂ２の間隔が空くことになる。
【００５６】
しかしながら、着弾画素２１１ｂに示すように、インク液滴は用紙に着弾すると用紙ににじむので、隣り合う着弾画素との距離が短くなる（着弾画素２１１ｂに示した例では、接触または重なっている）。そのため、高濃度の連続吐出領域では、風紋ムラが生じたとしても、着弾画素のにじみにより目立たなくなる。
【００５７】
一方、図４（ｂ）に示すように、ドロップデータに変換された画像データ２０２は、中間調の連続吐出領域の画像データであり、この画像データ２０２に基づいて印刷された画像が印刷画像２１２である。印刷画像２１２では、風紋ムラが発生した風紋ムラ領域２１２ｅが目立つように形成されている。
【００５８】
画像データ２０２は、中間調の連続吐出領域の画像データであるので、拡大画像データ２０２ａに示すように、中程度の密度で吐出する画素が並ぶことになる。そして、この画像データに基づいて吐出されると、着弾位置２１２ａに示すように、インク液滴の着弾位置ずれが発生し、着弾する画素と画素との間にｂ４の間隔が空くことになる。
【００５９】
そして、着弾画素２１２ｂに示すように、インク液滴は用紙に着弾すると用紙ににじむが、中程度の密度で吐出された着弾画素はｂ５の間隔が空いている。そのため、中間調の連続吐出領域では、風紋ムラが発生すると、濃淡が目立ち易くなるので風紋ムラ領域２１２ｅが目立つことになる。
【００６０】
また、図４（ｃ）に示すように、ドロップデータに変換された画像データ２０３は、低濃度の連続吐出領域の画像データであり、この画像データ２０３に基づいて印刷された画像が印刷画像２１３である。このとき、画像データ２０３は、低濃度の連続吐出領域の画像データであるので、拡大画像データ２０３ａに示すように、低い密度で吐出する画素がｂ７の間隔で並ぶことになる。そして、この画像データに基づいて吐出されると、着弾位置２１３ａに示すように、インク液滴の着弾位置ずれが発生し、着弾する画素と画素との間にｂ８の間隔が空くことになる。
【００６１】
着弾画素２１３ｂに示すように、着弾画素２１１ｂや着弾画素２１２ｂと同様に、インク液滴は用紙に着弾すると用紙ににじむので、隣り合う着弾画素との距離が短くなる。しかしながら、低い密度で着弾すると、もともとの画素の間隔ｂ７が広いので、風紋ムラの発生により着弾位置の間隔が間隔ｂ８となり、着弾画素２１３ｂの間隔が間隔ｂ９となったとしても、見た目の濃度にはほとんど影響しない。そのため、低濃度の連続吐出領域では、風紋ムラが生じたとしても、着弾画素の広い間隔により目立たなくなる。
【００６２】
そこで、本発明の実施例１であるインクジェット印刷装置１では、図４（ｂ）の印刷画像２１２に発生する風紋ムラ領域２１２ｅを目立たないように印刷する。
【００６３】
＜インクジェット印刷装置１の機能構成＞
次に、本発明の実施例１であるインクジェット印刷装置１の機能構成について説明する。
【００６４】
図５は、本発明の実施例１であるインクジェット印刷装置１の機能構成を示した図である。
【００６５】
図５に示すように、インクジェット印刷装置１は、サイド給紙部１０と、内部給紙部２０と、印刷部３０と、排紙部４０と、反転部５０と、操作パネル部７０と、制御部８０とを備える。これらの構成のうち、サイド給紙部１０と、内部給紙部２０と、印刷部３０と、排紙部４０と、反転部５０とについては、上述したので、説明を省略する。
【００６６】
制御部８０は、ＣＰＵ８１と、ＣＰＵ８１の動作プログラムや各種テーブル等を格納したＲＯＭ８２と、画像読取り部（図示せず。）が読取った画像データまたはコンピュータ装置（図示せず。）等が送信してきた画像データ、さらには操作パネル部７０またはコンピュータ装置（図示せず。）からの各種印刷条件を含む印刷ジョブを記憶するＲＡＭ８３を有している。
【００６７】
図６は、本発明の実施例１であるインクジェット印刷装置１が備える制御部８０のＲＯＭ８２に記憶された条件判定テーブルの一例を示した図である。（ａ）は、マット紙に対応する条件判定テーブルの一例を示した図であり、（ｂ）は、普通紙に対応する条件判定テーブルの一例を示した図である。この条件判定テーブルは、後述するように風紋ムラを目立たなくするために、印刷用紙の種類に応じて制御対象画像データであるか否かを判定するためのテーブルである。
【００６８】
図６（ａ），（ｂ）ともに、主走査方向において一定間隔で連続する画素数、連続吐出する時間、搬送ベルト１３３により定まる副走査方向の画素の間隔、単位面積当たりのドロップ数が関連付けられて記憶されている。この主走査方向において一定間隔で連続する画素数は、主走査方向の画素の密度を示し、副走査方向の画素の間隔は副走査方向の画素の密度を示し、画像データの解像度が高解像度であるか否かの判定するための条件となる。また、連続して吐出する時間、単位時間あたりのドロップ数により、自己気流の発生度合いが高いか否かを判定するための条件、中間調領域であるか否かを判定するための条件となっている。この条件判定テーブルは、後述するように風紋ムラを目立たなくするために、低解像度に切り替えて印刷するか否かの判定に用いられる。なお、この条件判定テーブルは予め実験的に求められたものである。
【００６９】
図５に戻り、ＣＰＵ８１は、ＲＯＭ８２に格納された動作プログラムを実行することにより、本装置全体、すなわちサイド給紙部１０と、内部給紙部２０と、印刷部３０と、排紙部４０と、反転部５０と、操作パネル部７０と等の動作を制御する。また、ＣＰＵ８１は、判定部８１ａと、インク吐出制御部８１ｂとを実装する。
【００７０】
判定部８１ａは、印刷のページごとに、印刷するための画像データが上記の制御対象画像データであるか否かを判定する。具体的には、判定部８１ａは、印刷するための画像データが、自己気流度に基づいて自己気流が発生し、かつ、印刷ジョブに含まれる画像データの解像度が高解像度であり、かつ、画像データ内の各画素の濃度が同一で所定範囲である制御対象画像データであるか否かを判定する。
【００７１】
インク吐出制御部８１ｂは、判定部８１ａにより、上記の制御対象画像データと判定された場合、画像データに対して全ドロップ数を同一としつつ１画素当たりのドロップ数を増加させてインクを吐出し、かつ、低解像度で印刷するようにインクジェットヘッド１１０，１１２，１１４を制御する一方、判定部８１ａにより、上記の制御対象画像データでないと判定された場合、画像データに基づき指定された解像度で印刷するようにインクジェットヘッド１１０，１１２，１１４を制御する。
【００７２】
＜インクジェット印刷装置１の作用＞
次に、本発明の実施例１であるインクジェット印刷装置１の詳細な処理手順について説明する。
【００７３】
図７は、本発明の実施例１であるインクジェット印刷装置１の処理手順を示したフローチャートである。
【００７４】
図７に示すように、まず、制御部８０のＣＰＵ８１は、印刷ジョブを受信した場合（ステップＳ１００“ＹＥＳ”）、受信したジョブに含まれるドロップデータに変換された画像データが、６００（ｄｐｉ）×６００（ｄｐｉ）で印刷するための高解像度でビットマップ化されたものか、または３００（ｄｐｉ）×３００（ｄｐｉ）で印刷するための低解像度でビットマップ化されたものかを判定する（ステップＳ１０５）。
【００７５】
ステップＳ１０５において、画像データが低解像度でビットマップ化されたものであると判定された場合（ＮＯ）、解像度を変換することなく、制御部８０のＣＰＵ８１のインク吐出制御部８１ｂは、ステップＳ１００において受信した印刷ジョブに含まれるドロップデータに基づいて、印刷処理を実行する（ステップＳ１６０）。
【００７６】
一方、画像データが高解像度でビットマップ化されたものであると判定された場合（ＹＥＳ）、ＣＰＵ８１は、受信した印刷ジョブからページごとに、ドロップデータに変換された画像データおよび用紙種類を取得する（ステップＳ１１０）。
【００７７】
次に、ＣＰＵ８１の判定部８１ａは、インクジェットユニット３１と、インクジェットユニット３１の対向面に設けられた環状の搬送ベルト１３３との間隔であるギャップが所定値以上か否かを判定する（ステップＳ１２０）。印刷される用紙は、用紙自体の厚みや、封筒などの用紙の形状が異なるので、用紙がインクジェットユニット３１に接触することなく適切に印刷できるように、この用紙種類に応じてギャップが設定される。そこで、判定部８１ａは、ステップＳ１１０において取得された用紙種類に基づいてギャップを決定し、決定したギャップが所定値以上か否かを判定する。ここで、ギャップは、広いほど着弾位置ずれが発生し易くなり、風紋ムラが発生しやすくなる。
【００７８】
そこで、ステップＳ１２０において、ギャップが所定値未満であると判定された場合（“ＮＯ”）、着弾位置ずれが発生しにくいので、インク吐出制御部８１ｂは、ステップＳ１００において受信した印刷ジョブに含まれるドロップデータに基づいて、印刷処理を実行する（ステップＳ１６０）。
【００７９】
一方、ギャップが所定値以上であると判定された場合（ステップＳ１２０“ＹＥＳ”）、判定部８１ａは、印刷ジョブに基づいて、制御対象画像データがあるか否かを判定する（ステップＳ１３０）。具体的には、判定部８１ａは、ＲＯＭ８２に記憶された用紙種ごとの条件判定テーブルのうち、ステップＳ１１０において取得した用紙種に対応する条件判定テーブルを抽出し、印刷ジョブに含まれるドロップデータに基づいて、Ｃ、Ｍ、Ｙ、Ｋのうちいずれか１色において、この抽出した条件判定テーブルの条件を満たす場合に、制御対象画像データがあると判定する。例えば、用紙種が“普通紙”の場合、Ｋインクにより、主走査方向にＸ２以上Ｋインクを吐出する画素を、Ｙ２時間以上連続して吐出する場合、Ｋの単色のベタ領域が形成されることになる。そして、副走査方向の画素の間隔がＶ２以上であり、単位面積当たりのドロップ数が“３”〜“６”（ドロップ）の場合、このＫのベタ領域は中間調領域となる。このような場合には、制御対象画像データと判定することができる。
【００８０】
ステップＳ１３０において、制御対象画像データがあると判定された場合（“ＹＥＳ”）、インク吐出制御部８１ｂは、解像度および吐出量を変換する（ステップＳ１４０）。具体的には、インク吐出制御部８１ｂは、画像データに対して全ドロップ数を同一としつつ１画素当たりのドロップ数を増加させてインクを吐出し、かつ、ドロップデータの副走査方向の解像度を６００（ｄｐｉ）から３００（ｄｐｉ）に変換する。これにより、解像度および吐出量を変換されたドロップデータは、６００（ｄｐｉ）×３００（ｄｐｉ）の解像度のドロップデータとなっている。
【００８１】
ＣＰＵ８１は、ステップＳ１４０において生成されたドロップデータに基づいて、印刷処理を実行する（ステップＳ１６０）。
【００８２】
図８は、本発明の実施例１であるインクジェット印刷装置１における図８のフローチャートのステップＳ１４０の解像度および吐出量の変換処理を模式的に示した説明図である。（ａ）は、受信した印刷ジョブに含まれる制御対象画像データのドロップデータを示しており、（ｂ）は、このドロップデータに基づいて印刷される際、風紋ムラが発生した場合におけるインク液滴の着弾位置を示した図であり、（ｃ）は、副走査方向の解像度および吐出量を変換したドロップデータに基づいて印刷される際に、インク液滴が着弾する着弾位置を示した図であり、（ｄ）は、（ｃ）に示した着弾位置でインク液滴が着弾された場合において、インクが用紙ににじんだ状態を示した図である。
【００８３】
図８（ａ）に示すように、受信した印刷ジョブに含まれる制御対象画像データのドロップデータでは、主走査方向および副走査方向に６００（ｄｐｉ）×６００（ｄｐｉ）の画像データであり、中間調の一定の濃度で印刷されるように、画素が配列されている、
そして、図８（ａ）に示したドロップデータに基づいて印刷する際、気流の乱れなどの影響により図８（ｂ）に示すようなややズレた位置に、インク液滴が着弾することになる。このように、インク液滴の着弾位置ズレにより、画素と画素の間にａ１のような広い間隔が空くことになり、これが風紋ムラとしてユーザに認識される。
【００８４】
このとき、副走査方向の解像度を６００（ｄｐｉ）から３００（ｄｐｉ）に変換されて、制御対象画像データに対して全ドロップ数を同一としつつ１画素当たりのドロップ数を増加されると、高解像度のまま吐出した場合と比較して自己気流の発生度合が低減でき、また、ドロップ数の増加で、その分インク液滴が重くなり搬送気流の影響を受けにくくなる。そのため、図８（ｃ）に示すように、副走査方向における画素が半分に間引きされ、ドロップ数が増加された状態でインク液滴が着弾されると、搬送気流の影響を受けにくくなるので、図８（ｂ）に示した間隔ａ１より狭い間隔ａ２でインク液滴が着弾することになる。
【００８５】
具体的には、図８（ａ）に示したドロップデータの例では、１画素当たりのドロップ数が２ドロップとすると、主走査方向に８列と副走査方向に４列の画素が配列されているので、この制御対象画像データに対して全ドロップ数は“６４”ドロップとなる。
【００８６】
図８（ｃ）に示した例では、副走査方向における画素が半分に間引きされているので、主走査方向に８列と副走査方向に２列の画素が配列されている。この制御対象画像データに対して全ドロップ数を“６４”ドロップとするためには、１画素当たりのドロップ数を“４”ドロップとすることになる。
【００８７】
このように、１画素当たりのドロップ数を“４”ドロップと増加させることにより、搬送気流の影響を受けにくくしている。
【００８８】
さらに、図８（ｄ）に示すように、ドロップ数が増加されているので、着弾したインク液滴が用紙ににじみ拡大し易くなり、画素と画素の間は間隔ａ３のように短くなるので、結果的にユーザに風紋ムラが認識され難くなる。すなわち、風紋ムラが目立ちにくくなる。
【００８９】
以上のように、本発明の実施例１であるインクジェット印刷装置１によれば、インク吐出制御部８１ｂが、印刷ジョブに含まれる画像データの解像度が高解像度であり、かつ、画像データ内の各画素の濃度が同一で所定範囲である場合に、単位時間当たりにおけるノズルのインク吐出量に基づいて算出される、ノズルから吐出されたインクを用紙の搬送気流に抗して直進させる自己気流の発生度合いを示す自己気流度に基づいて、画像データの解像度を低解像度に変換し、画像データ内の各画素の濃度を増加するようにインクを各ノズルから吐出させるので、吐出されたインク液滴がインクの吐出や用紙の搬送により発生する搬送気流の影響を受け難くなるので、着弾位置ズレ量が小さくなり、その分風紋ムラが目立ちにくくなる。
【００９０】
また、本発明の実施例１では、制御対象画像データに対して全ドロップ数を同一としつつ１画素当たりのドロップ数を増加させるために、副走査方向の画素を半分に間引きしたが、これに限らず、主走査方向および副走査方向の半分に間引きしてもよい。
【００９１】
主走査方向における解像度を６００（ｄｐｉ）から３００（ｄｐｉ）にするためには、上述したように、インクジェットヘッド１１０ａ〜１１０ｆに示したように、１つのインクジェットヘッドに同色のインクが収容されている場合、上流側または下流側のノズル列のいずれか一方からインクを吐出するように制御することにより、解像度を６００（ｄｐｉ）または３００（ｄｐｉ）に切り替えて印刷することができる。すなわち、主走査方向および副走査方向を低解像度に変換することにより、６００（ｄｐｉ）×６００（ｄｐｉ）のドロップデータを、３００（ｄｐｉ）×３００（ｄｐｉ）ドロップデータにすることができる。
【００９２】
図９は、本発明の実施例１であるインクジェット印刷装置１における図８のフローチャートのステップＳ１４０の解像度および吐出量の変換処理を模式的に示した説明図である。（ａ）は、受信した印刷ジョブに含まれる制御対象画像データのドロップデータを示しており、（ｂ）は、このドロップデータに基づいて印刷される際、風紋ムラが発生した場合におけるインク液滴の着弾位置を示した図であり、（ｃ）は、主走査方向および副走査方向の解像度および吐出量を変換したドロップデータに基づいて印刷される際に、インク液滴が着弾する着弾位置を示した図であり、（ｄ）は、（ｃ）に示した着弾位置でインク液滴が着弾された場合において、インクが用紙ににじんだ状態を示した図である。
【００９３】
図９（ａ）に示すように、受信した印刷ジョブに含まれる制御対象画像データのドロップデータでは、主走査方向および副走査方向に６００（ｄｐｉ）×６００（ｄｐｉ）の画像データであり、中間調の一定の濃度で印刷されるように、画素が配列されている、
そして、図９（ａ）に示したドロップデータに基づいて印刷する際、気流の乱れなどの影響により図８（ｂ）に示すようなややズレた位置に、インク液滴が着弾することになる。このように、インク液滴の着弾位置ズレにより、画素と画素の間にａ１のような広い間隔が空くことになり、これが風紋ムラとしてユーザに認識される。
【００９４】
このとき、主走査方向および副走査方向の解像度を６００（ｄｐｉ）から３００（ｄｐｉ）に変換されて、制御対象画像データに対して全ドロップ数を同一としつつ１画素当たりのドロップ数を増加されると、副走査方向のみ３００（ｄｐｉ）に解像度を変換した場合に比べて、さらに、自己気流の発生度合が低くなり、かつ、インク液滴が重くなり搬送気流の影響を受けにくくなる。そのため、図９（ｃ）に示すように、主走査方向および副走査方向における画素が半分に間引きされ、ドロップ数が増加された状態でインク液滴が着弾されると、図９（ｂ）に示した間隔ａ４より狭い間隔ａ５でインク液滴が着弾することになる。
【００９５】
具体的には、図９（ａ）に示したドロップデータの例では、１画素当たりのドロップ数が２ドロップとすると、主走査方向に８列と副走査方向に４列の画素が配列されているので、この制御対象画像データに対して全ドロップ数は“６４”ドロップとなる。
【００９６】
図９（ｃ）に示した例では、主走査方向および副走査方向における画素が半分に間引きされているので、主走査方向に４列と副走査方向に２列の画素が配列されている。この制御対象画像データに対して全ドロップ数を“６４”ドロップとするためには、１画素当たりのドロップ数を“８”ドロップとすることになる。
【００９７】
このように、１画素当たりのドロップ数を“８”ドロップと増加させることにより、さらに搬送気流の影響を受けにくくしている。
【００９８】
さらに、図９（ｄ）に示すように、“８”ドロップまでドロップ数が増加されているので、着弾したインク液滴が用紙ににじみさらに拡大し易くなり、画素と画素の間は間隔ａ６のように短くなるので、結果的にユーザに風紋ムラが認識され難くなる。すなわち、風紋ムラが目立ちにくくなる。
【００９９】
以上のように、本発明の実施例１であるインクジェット印刷装置１によれば、さらに、制御対象画像データに対して全ドロップ数を同一としつつ１画素当たりのドロップ数を増加させてインクを吐出するとともに、主走査方向および副走査方向に低解像度で印刷するようにインクジェットヘッド１１０，１１２，１１４を制御するので、より吐出されたインク液滴が搬送気流の影響を受け難くなるので、着弾位置ズレ量が小さくなり、その分風紋ムラが目立ちにくくなる。
【０１００】
なお、本発明の実施例１では、制御対象画像データに単色ベタ画像がある場合に、インク吐出制御部８１ｂが、解像度および吐出量を変換したが、単色ベタ画像に限らず、複数のインクによるベタ領域であったとしても制御対象画像データがあれば、この制御対象画像データに対して、解像度および吐出量を変換することにより風紋ムラが目立ちにくくすることができる。
【０１０１】
また、本発明の実施例１では、制御対象画像データに対して全ドロップ数を同一としつつ１画素当たりのドロップ数を増加させるために、副走査方向の画素を半分に間引きしたり、主走査方向および副走査方向の画素を半分に間引きしたりしたが、主走査方向のみ画素を半分に間引くようにしてもよいし、間引きは半分に限らず、２／３や１／３になるように画素を間引いてもよい。
【０１０２】
また、本発明の実施例１では、用紙の搬送方向と直交する方向（主走査方向）に配列されたインクジェットヘッドを有し、搬送経路上で搬送された用紙に対して、画像データに基づいてインクジェットヘッドのノズルからインクを吐出して印刷するライン型のインクジェット印刷装置を例に挙げて説明したが、これに限らない。
【０１０３】
用紙の搬送方向と直交する方向（主走査方向）に移動するインクジェットヘッドを有し、搬送された用紙に対して、画像データに基づいてインクジェットヘッドのノズルからインクを吐出して印刷するシリアル型のインクジェット印刷装置でもよい。
【０１０４】
シリアル型のインクジェット印刷装置では、用紙の搬送方向と直交する方向（主走査方向）に移動する１つのインクジェットヘッドに、用紙の搬送方向（副走査方向）に対して平行になるように複数のノズル列を配列されており、複数のノズル列毎に副走査方向のノズルの位置をそれぞれずらして設けられ、搬送された用紙が停止しているときに、インクジェットヘッドを主走査方向に移動しながら、用紙に対して複数のノズル列のうち少なくとも１列のノズル列からインクを吐出する。
【０１０５】
このようなシリアル型のインクジェット印刷装置の場合においても、画像データが高解像度であり、かつ画像データに制御対象画像データが存在すると判定された場合、インク吐出制御部８１ｂが、制御対象画像データに対して全ドロップ数を同一としつつ１画素当たりのドロップ数を増加させてインクを吐出するとともに、低解像度で印刷するようにインクジェットヘッド１１０，１１２，１１４を制御することにより、搬送気流の影響を低減させ、風紋ムラを目立たなくすることができる。
【０１０６】
即ち、インクジェットヘッドは、複数のノズル列が平行に配列され、用紙Ｐに対して相対移動しながらノズル列からインクを吐出するように構成されていればよい。
【符号の説明】
【０１０７】
１…インクジェット印刷装置
１０…サイド給紙部
１１…給紙台
１２…１次給紙部
１４…２次給紙部
３０…印刷部
３１…インクジェットユニット
４０…排紙部
５０…反転部
７０…操作パネル部
８０…制御部
８１…ＣＰＵ
８１ａ…判定部
８１ｂ…インク吐出制御部
８２…ＲＯＭ
８３…ＲＡＭ
１１０，１１２，１１４…インクジェットヘッド
【図１】
2016013645.tif 000003
【図２】
2016013645.tif 000004
【図３】
2016013645.tif 000005
【図４】
2016013645.tif 000006
【図５】
2016013645.tif 000007
【図６】
2016013645.tif 000008
【図７】
2016013645.tif 000009
【図８】
2016013645.tif 000010
【図９】
2016013645.tif 000011